【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
第１液体導入部と第２液体導入部とを有するキャリッジユニットに搭載可能な液体供給システムであって、
前記第１液体導入部に第１液体を供給可能な第１液体供給部を有し、前記キャリッジユニットに着脱可能な第１液体供給ユニットと、
前記第２液体導入部に第２液体を供給可能な第２液体供給部を有し、前記第１液体供給ユニットとは独立して前記キャリッジユニットに着脱可能な第２液体供給ユニットと、
前記キャリッジユニットに着脱可能であり、前記キャリッジユニットに係合可能な第１係合部と第２係合部とを有するホルダーユニットと、を備え、
前記第１液体供給ユニット、前記第２液体供給ユニット、および前記ホルダーユニットが前記キャリッジユニットに装着された装着状態において、
前記第１液体供給ユニットは前記ホルダーユニットと前記キャリッジユニットとの間に位置し、
前記第２液体供給ユニットは前記ホルダーユニットと前記キャリッジユニットとの間に位置し、
前記装着状態において、前記ホルダーユニットの前記第１係合部と第２係合部とが前記キャリッジユニットと係合することによって、前記第１液体供給ユニットと前記第２液体供給ユニットとが前記キャリッジユニットに固定されるように構成された、
ことを特徴とする液体供給システム。
【請求項２】
請求項１に記載の液体供給システムであって、
前記ホルダーユニットは、前記装着状態において、前記キャリッジユニットに電気的に接続する端子部を有する、
ことを特徴とする液体供給システム。
【請求項３】
請求項１または２に記載の液体供給システムであって、
前記第１液体供給ユニットは第１大気連通孔を有し、
前記ホルダーユニットは前記第１大気連通孔と連通する第１大気開放開口を有する、
ことを特徴とする液体供給システム。
【請求項４】
請求項１ないし３のいずれか一項に記載の液体供給システムであって、
前記キャリッジユニットが走査する方向を主走査方向と定義するとき、
前記第１液体供給ユニットは、前記装着状態において、前記ホルダーユニットに対し前記主走査方向となる方向に移動する動きを規制可能な第１規制部を有する、
ことを特徴とする液体供給システム。
【請求項５】
請求項１ないし３のいずれか一項に記載の液体供給システムであって、
前記キャリッジユニットが走査する方向を主走査方向と定義するとき、
前記第１液体供給ユニットは、前記装着状態において、前記ホルダーユニットに対し前記装着方向および前記主走査方向と交差する方向に移動する動きを規制可能な第１規制部を有する、
ことを特徴とする液体供給システム。
【請求項６】
請求項１ないし３のいずれか一項に記載の液体供給システムであって、
前記キャリッジユニットが走査する方向を主走査方向と定義するとき、
前記装着状態において、前記第１液体供給ユニットと前記第２液体供給ユニットは前記主走査方向となる方向と直交する方向に並ぶよう構成され、
前記第１液体供給ユニットは、前記装着状態において、前記ホルダーユニットに対し前記主走査方向となる方向に移動する動きを規制可能な第１規制部を有し、
前記第２液体供給ユニットは、前記装着状態において、前記第１液体供給ユニットに対し前記主走査方向となる方向に移動する動きを規制可能な第２規制部を有し、
前記ホルダーユニットは、前記装着状態において、前記第２液体供給ユニットに対し前記主走査方向となる方向に移動する動きを規制可能な第３規制部を有する、
ことを特徴とする液体供給システム。
【請求項７】
請求項６に記載の液体供給システムであって、
前記装着状態において、前記第１規制部と前記第２規制部とを前記ホルダーユニットから前記キャリッジユニットへ向かう方向に沿って平面視したとき、前記第１規制部と前記第２規制部の前記主走査方向における位置は異なる、
ことを特徴とする液体供給システム。
【請求項８】
請求項１ないし３のいずれか一項に記載の液体供給システムであって、
さらに、前記キャリッジユニットに第３液体を供給可能な第３液体供給部を有し、前記第１液体供給ユニットおよび前記第２液体供給ユニットとは独立して前記キャリッジユニットに着脱可能な第３液体供給ユニットと、を備え、
前記キャリッジユニットが走査する方向を主走査方向と定義するとき、
前記装着状態において、前記第１液体供給ユニットと前記第２液体供給ユニットは前記主走査方向となる方向と直交する方向に並ぶよう構成され、
前記装着状態において、前記第１液体供給ユニットと前記第３液体供給ユニットは前記主走査方向となる方向と直交する方向に並ぶよう構成され、
前記装着状態において、前記第２液体供給ユニットと前記第３液体供給ユニットは前記主走査方向となる方向に並ぶよう構成される、
ことを特徴とする液体供給システム。
【請求項９】
請求項１ないし８のいずれか一項に記載の液体供給システムであって、さらに、
液体収容容器と、
前記第１液体供給ユニットと前記液体収容容器とを接続する第１液体供給チューブと、を備える、
ことを特徴とする液体供給システム。
【手続補正２】
【補正対象書類名】明細書
【補正対象項目名】０００８
【補正方法】変更
【補正の内容】
【０００８】
本発明の一形態は、第１液体導入部と第２液体導入部とを有するキャリッジユニットに搭載可能な液体供給システムであって、前記第１液体導入部に第１液体を供給可能な第１液体供給部を有し、前記キャリッジユニットに着脱可能な第１液体供給ユニットと、前記第２液体導入部に第２液体を供給可能な第２液体供給部を有し、前記第１液体供給ユニットとは独立して前記キャリッジユニットに着脱可能な第２液体供給ユニットと、前記キャリッジユニットに着脱可能であり、前記キャリッジユニットに係合可能な第１係合部と第２係合部とを有するホルダーユニットと、を備え、前記第１液体供給ユニット、前記第２液体供給ユニット、および前記ホルダーユニットが前記キャリッジユニットに装着された装着状態において、前記第１液体供給ユニットは前記ホルダーユニットと前記キャリッジユニットとの間に位置し、前記第２液体供給ユニットは前記ホルダーユニットと前記キャリッジユニットとの間に位置し、前記ホルダーユニットは、前記装着状態において、前記キャリッジユニットに電気的に接続する端子部を有する、ことを特徴とする。
【手続補正３】
【補正対象書類名】明細書
【補正対象項目名】００１０
【補正方法】変更
【補正の内容】
【００１０】
また、本発明の一形態は、第１液体導入部と第２液体導入部とを有するキャリッジユニットに搭載可能な液体供給システムであって、前記第１液体導入部に第１液体を供給可能な第１液体供給部を有し、前記キャリッジユニットに着脱可能な第１液体供給ユニットと、前記第２液体導入部に第２液体を供給可能な第２液体供給部を有し、前記第１液体供給ユニットとは独立して前記キャリッジユニットに着脱可能な第２液体供給ユニットと、前記キャリッジユニットに着脱可能であり、前記キャリッジユニットに係合可能な第１係合部と第２係合部とを有するホルダーユニットと、を備え、前記第１液体供給ユニット、前記第２液体供給ユニット、および前記ホルダーユニットが前記キャリッジユニットに装着された装着状態において、前記第１液体供給ユニットは前記ホルダーユニットと前記キャリッジユニットとの間に位置し、前記第２液体供給ユニットは前記ホルダーユニットと前記キャリッジユニットとの間に位置し、前記装着状態において、前記ホルダーユニットの前記第１係合部と第２係合部とが前記キャリッジユニットと係合することによって、前記第１液体供給ユニットと前記第２液体供給ユニットとが前記キャリッジユニットに固定されるように構成された、ことを特徴とする。
【手続補正４】
【補正対象書類名】明細書
【補正対象項目名】００１３
【補正方法】変更
【補正の内容】
【００１３】
本発明の一形態において、前記キャリッジユニットが走査する方向を主走査方向と定義するとき、前記第１液体供給ユニットは、前記装着状態において、前記主走査方向となる方向に移動する動きを規制可能な第１規制部を有する、ことが望ましい。これにより、ホルダーユニットを用いて第１液体供給ユニットをキャリッジユニットに固定したときに、第１液体供給ユニットが主走査方向となる方向に移動する動きを規制できる。
【手続補正５】
【補正対象書類名】明細書
【補正対象項目名】００１４
【補正方法】変更
【補正の内容】
【００１４】
本発明の一形態において、前記キャリッジユニットが走査する方向を主走査方向と定義するとき、前記第１液体供給ユニットは、前記装着状態において、前記ホルダーユニットに対し前記装着方向および前記主走査方向と交差する方向に移動する動きを規制可能な第１規制部を有する、ことが望ましい。これにより、ホルダーユニット
を用いて第１液体供給ユニットをキャリッジユニットに固定したときに、第１液体供給ユニットが主走査方向および装着方向と交差する方向に移動する動きを規制できる。  
【手続補正６】
【補正対象書類名】明細書
【補正対象項目名】００１５
【補正方法】変更
【補正の内容】
【００１５】
本発明の一形態において、前記キャリッジユニットが走査する方向を主走査方向と定義するとき、前記装着状態において、前記第１液体供給ユニットと前記第２液体供給ユニットは前記主走査方向となる方向と直交する方向に並ぶよう構成され、前記第１液体供給ユニットは、前記装着状態において、前記ホルダーユニットに対し前記主走査方向となる方向に移動する動きを規制可能な第１規制部を有し、前記第２液体供給ユニットは、前記装着状態において、前記第１液体供給ユニットに対し前記主走査方向となる方向に移動する動きを規制可能な第２規制部を有し、前記ホルダーユニットは、前記装着状態において、前記第２液体供給ユニットに対し前記主走査方向となる方向に移動する動きを規制可能な第３規制部を有する、ことが望ましい。これにより、第１液体供給ユニットと第２液体供給ユニットを、キャリッジユニットに装着されたときに主走査方向となる方向と直交する方向に並べて配置したとき、キャリッジユニットの摺動によって主走査方向に加重される力が加わったとしても、主走査方向に向かって第１液体供給ユニットと第２液体供給ユニットの位置が移動してしまうおそれが少ない。また、液体供給ユニット同士で動きを規制できるため、ホルダーユニットの構成を簡素化できる。従って、小型化に有利である。
【手続補正７】
【補正対象書類名】明細書
【補正対象項目名】００１６
【補正方法】変更
【補正の内容】
【００１６】
本発明の一形態において、前記装着状態において、前記第１規制部と前記第２規制部とを前記ホルダーユニットから前記キャリッジユニットへ向かう方向に沿って平面視したとき、前記第１規制部と前記第２規制部の前記主走査方向における位置は異なる、ことが望ましい。これにより、第１液体供給ユニットと第２液体供給ユニットの誤装着を防止することができる。
【手続補正８】
【補正対象書類名】明細書
【補正対象項目名】００１７
【補正方法】変更
【補正の内容】
【００１７】
本発明の一形態において、  さらに、前記キャリッジユニットに第３液体を供給可能な第３液体供給部を有し、前記第１液体供給ユニットおよび前記第２液体供給ユニットとは独立して前記キャリッジユニットに着脱可能な第３液体供給ユニットと、を備え、前記キャリッジユニットが走査する方向を主走査方向と定義するとき、前記装着状態において、前記第１液体供給ユニットと前記第２液体供給ユニットは前記主走査方向となる方向と直交する方向に並ぶよう構成され、前記装着状態において、前記第１液体供給ユニットと前記第３液体供給ユニットは前記主走査方向となる方向と直交する方向に並ぶよう構成され、前記装着状態において、前記第２液体供給ユニットと前記第３液体供給ユニットは前記主走査方向となる方向に並ぶよう構成される、ことが望ましい。このようにすると、３つの液体供給ユニットを効率良く配置できる。また、液体供給ユニット同士で動きを規制できるため、ホルダーユニットの構成を簡素化できる。従って、小型化に有利である。